(57)【要約】【課題】本発明は、ロック機構を簡易な構造とすることで、低コスト化を図ることができる記録ディスクカートリッジを提供することを課題とする。【解決手段】記録ディスクカートリッジ１は、カートリッジケースのアクセス用開口部を開閉するロータリシャッタ２０と、このロータリシャッタ２０の回動を規制又は許容するロック機構を備えている。ロック機構は、その先端部７１がカートリッジケースの側壁側に常時付勢されるように、その基端部がロータリシャッタ２０に一体に設けられるロック片７０と、ロック片７０の先端部７１を係止することで、ロータリシャッタ２０の回動を規制する係止部１３１ｈと、係止部１３１ｈで係止しているロック片７０の先端部７１を、ドライブ装置Ｄのシャッターロック操作部材ＳＲと係合させるために形成されるロック機構用切欠ＲＣと、を備えている。【選択図】図７
2007141385.tif 000002
【特許請求の範囲】
【請求項１】
記録ディスクメディアを収容すると共に、この記録ディスクメディアを外部に臨ませるケース開口を有するカートリッジケースと、
前記記録ディスクメディアと前記カートリッジケースとの間で回動することで、前記ケース開口を開閉するロータリシャッタと、
前記ロータリシャッタの回動を規制又は許容するロック機構とを備えた記録ディスクカートリッジであって、
前記ロック機構は、
その先端部が前記カートリッジケースの側壁側に常時付勢されるように、その基端部が前記ロータリシャッタに一体に設けられるばね部と、
前記ばね部の先端部を係止することで、前記ロータリシャッタの回動を規制する係止部と、
前記係止部で係止している前記ばね部の先端部を、ドライブ装置のシャッターロック操作部材と係合させて、前記係止部から離脱させるために、前記カートリッジケースの側壁に形成されるロック機構用切欠とを備えていることを特徴とする記録ディスクカートリッジ。
【請求項２】
前記ロータリシャッタは、その一部に金属部分を有し、
前記ばね部は、前記金属部分を切り曲げることで形成されていることを特徴とする請求項１に記載の記録ディスクカートリッジ。
【請求項３】
前記ロータリシャッタは、
金属製の上シャッタ及び下シャッタを前記金属部分として有する他、これらの上シャッタと下シャッタとの間に配置される樹脂製の側壁を有し、
前記ばね部は、前記上シャッタ又は下シャッタに形成されていることを特徴とする請求項２に記載の記録ディスクカートリッジ。
【請求項４】
前記ばね部の先端部は、前記ロック機構用切欠を塞ぐ大きさで形成されていることを特徴とする請求項１から請求項３のいずれか１項に記載の記録ディスクカートリッジ。
【請求項５】
前記ばね部の先端部には、摩耗抑制処理が施されていることを特徴とする請求項１から請求項４のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
特許文献１に記載の記録ディスクカートリッジ８００は、図８（ａ）及び（ｂ）に示すように、カートリッジケース８１０と、このカートリッジケース８１０の内部に回動可能に配置されたロータリシャッタ８２０と、このロータリシャッタ８２０の内部に回転自在に配置された記録ディスクメディア８３０と、を主に備えている。かかる記録ディスクカートリッジ８００では、専用のドライブ装置９００（図９参照）に挿入されていく際に、ロータリシャッタ８２０の底面に突設された突起８２２がドライブ装置９００側で係止されることで、この突起８２２がカートリッジケース８１０に対して相対移動してロータリシャッタ８２０が回動するようになっている。また、かかる記録ディスクカートリッジ８００では、前記したようにロータリシャッタ８２０が回動してロータリシャッタ８２０の切欠８２１とカートリッジケース８１０のアクセス用開口部８１３とが一致すると、記録ディスクメディア８３０が外部に露出するようになっている。そして、このようなロータリシャッタ８２０を備えた記録ディスクカートリッジ８００内の適所には、非使用時において記録ディスクメディア８３０が外部に露出しないように、ロータリシャッタ８２０の回動を規制するロック部材８４０が設けられている。
【０００４】
ロック部材８４０は、図９に示すように、ピボット８４１を中心に揺動自在に支持される本体８４２と、この本体８４２の一端に形成され、かつ、ロータリシャッタ８２０の側壁に形成される係合孔８２３に係合する係合部８４３と、この係合部８４３を常時ロータリシャッタ８２０側に付勢するばね部８４４とを備え、その本体８４２の他端部８４５がカートリッジケース８１０の側壁８１１に形成される孔から外部へ露出するように構成されている。そして、このロック部材８４０は、その係合部８４３がロータリシャッタ８２０の係合孔８２３に係合することでロータリシャッタ８２０の回動を規制し、その他端部８４５がドライブ装置９００の凸状部９０１によってカートリッジケース８１０内に押し込まれることで、係合孔８２３から係合部８４３を離反させてロータリシャッタ８２０の回動を許容するようになっている。
【特許文献１】米国特許第６２５６１６８号明細書
【発明の開示】
【発明が解決しようとする課題】
【０００５】
しかしながら、従来の構造（ロック機構）では、ロック部材先端部がシャッタ側壁に常時接触している為、擦れ粉発生及びシャッタ回動トルク上昇の原因となるだけでなく、ロック部材８４０を、他の部品（例えばロータリシャッタ等）とは別に設けていたので、部品点数が増え、その分コストが高くなるといった問題があった。また、従来のロック機構では、ロック部材８４０を揺動自在な構造とし、カートリッジケース８１０やロータリシャッタ８２０の両方にロック部材８４０用の孔を形成する必要があるため、構造が複雑となり、その分コストが高くなるといった問題があった。
【０００６】
そこで、本発明は、ロック機構を簡易な構造とすることで、低コスト化を図ることができる記録ディスクカートリッジを提供することを課題とする。
【課題を解決するための手段】
【０００７】
前記した課題を解決するため、本発明は、記録ディスクメディアを収容すると共に、この記録ディスクメディアを外部に臨ませるケース開口を有するカートリッジケースと、前記記録ディスクメディアと前記カートリッジケースとの間で回動することで、前記ケース開口を開閉するロータリシャッタと、前記ロータリシャッタの回動を規制又は許容するロック機構とを備えた記録ディスクカートリッジであって、前記ロック機構は、その先端部が前記カートリッジケースの側壁側に常時付勢されるように、その基端部が前記ロータリシャッタに一体に設けられるばね部と、前記ばね部の先端部を係止することで、前記ロータリシャッタの回動を規制する係止部と、前記係止部で係止している前記ばね部の先端部を、ドライブ装置のシャッターロック操作部材と係合させて、前記係止部から離脱させるために、前記カートリッジケースの側壁に形成されるロック機構用切欠とを備えていることを特徴とする。
【０００８】
このような記録ディスクカートリッジによれば、非使用時においては、ばね部の先端部が係止部で係止されることにより、ロータリシャッタの回動が規制される。また、ドライブ装置に記録ディスクカートリッジを挿入するときには、ドライブ装置のシャッターロック操作部材とばね部の先端部が係合することで、ばね部の先端部が係止部から離脱されて、ロータリシャッタの回動が許容される。すなわち、この構造では、従来の構造で必要であったロック部材を揺動自在に支持するピンやロータリシャッタ側の孔等が不要となるので、従来よりも簡易な構造となり、その分低コスト化を図ることができる。
【０００９】
また、本発明は、前記した構造に加え、前記ロータリシャッタが、その一部に金属部分を有し、前記ばね部が、前記金属部分を切り曲げることで形成されていてもよい。
これによれば、ロータリシャッタの金属部分を切り曲げることで、ロータリシャッタの一部にロック部材としてのばね部が一体に形成されるので、部品点数を削減でき、その分低コスト化を図ることができる。
【００１０】
さらに、本発明は、前記した構造に加え、前記ロータリシャッタが、金属製の上シャッタ及び下シャッタを前記金属部分として有する他、これらの上シャッタと下シャッタとの間に配置される樹脂製の側壁を有し、前記ばね部が、前記上シャッタ又は下シャッタに形成されていてもよい。
これによれば、例えば絞り加工により略有底円筒状に形成された部品を組み合わせることで、記録ディスクメディアを収容する略中空円柱状のロータリシャッタを製造する場合に比べ、絞り加工による皺や歪が発生することがないので、ロータリシャッタ（詳しくは、記録ディスクメディアの面に対向する面）の平坦性を確保することができる。
【００１１】
また、本発明は、前記した構造に加え、前記ばね部の先端部が、前記ロック機構用切欠を塞ぐ大きさで形成されていてもよい。
これによれば、カートリッジケースの側壁に形成されるロック機構用切欠をばね部の先端で塞ぐことができるので、外部からカートリッジケース内への塵埃の侵入を抑制することができる。
【００１２】
さらに、本発明は、前記した構造に加え、前記ばね部の先端部に、摩耗抑制処理が施されていてもよい。ここで、「摩耗抑制処理」とは、金属製のばね部の先端部と接触する相手側の部材が摩耗により削れないように、ばね部の先端部の摩擦係数を低くする処理をいい、例えば、ばね部の先端部を折り返すことでその先端（折り返し部分）を丸めた形状にする処理や、メッキ処理、テフロン（登録商標）加工等をいう。
これによれば、ばね部の先端部に摩耗抑制処理が施されているので、ばね部の先端部が当接する相手側の部材（例えばカートリッジケースの側壁）の摩耗を抑制することができる。
【発明の効果】
【００１３】
本発明によれば、その基端部がロータリシャッタに一体に設けられたばね部の先端部を、係止部に対して係合・離脱させるだけの構造であるため、その構造が簡易となり、低コスト化を図ることができる。
【発明を実施するための最良の形態】
【００１４】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、本実施形態に係るロータリシャッタを示す斜視図であり、（ａ）は前方斜め上方からみた図、（ｂ）は後方斜め下方からみた図である。図４は、本実施形態に係る記録ディスクカートリッジを下方からみた平面図であり、（ａ）は記録ディスクカートリッジ全体を示す図、（ｂ）は（ａ）のＸ部分の拡大図である。図５は、本実施形態に係る記録ディスクカートリッジの要部の断面図である。図６は、本実施形態に係る記録ディスクカートリッジをドライブ装置に挿入した状態を示す斜視図である。図７は、ロック機構の動作を示す部分拡大断面図であり、（ａ）はロック状態であるロック機構を示す図、（ｂ）はロック片と係止部との係合が解除された状態を示す図、（ｃ）はロータリシャッタの回動に伴って変形するロック片の状態を示す図である。
なお、本実施形態において方向を説明する場合は、図１に示す前、後、右、左、上、下、を基準として説明する。
【００１５】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、ロータリシャッタ２０の回動を規制又は許容するロック機構ＲＭとを主に備えている。そして、このような記録ディスクカートリッジ１は、専用のドライブ装置Ｄ（図６参照）に、その前側から挿入されて使用される。
【００１６】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図６参照）。
【００１７】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図６参照）の動作に干渉しない形状となっている。
【００１８】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００１９】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２０】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２１】
また、上シェル１１は、その右側に、金属プレートを折り曲げ加工して一体形成された平面視直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２２】
さらに、上シェル１１は、その中央部に、ロータリシャッタ２０を回動可能に止め付けるセンタピン５０と係合する係合孔１１３を有している。
【００２３】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２４】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００２５】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
【００２６】
また、アーチ状フレーム１３１は、下向きに開口し、カートリッジケース１０の内部と外部を連通させる係合溝１３１ｅ（図４参照）を有している。なお、この係合溝１３１ｅは、後記するロック機構ＲＭを構成するものであり、その具体的な構造については、後で詳述することとする。
【００２７】
Ｖノッチ部材１３３は、後記するように閉方向に付勢されるロータリシャッタ２０を閉位置で止めるストッパとしての役割と（図４参照）、ドライブ装置Ｄとの係合部としての役割とを備える部材であり、左端部１０ｄの前側に配置されている。
【００２８】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００２９】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図３、図５参照）。
【００３０】
ロータリシャッタ２０は、図２及び図３に示すように、記録ディスクメディア３０を外部に臨ませる切欠部２０１を有している（図６参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３１】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図４、図６参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図６参照）。
【００３２】
また、ロータリシャッタ２０は、図示しない付勢手段（例えば渦巻きばね）によって、閉方向（図４、矢印Ａ１参照）に付勢されていてもよい。そして、この場合、閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図４、図６参照）。ちなみに、本発明において、前記付勢手段は必須の構成要素ではなく、ドライブ装置Ｄから記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００３３】
このようなロータリシャッタ２０は、図２及び図３に示すように、金属プレートからなる上シャッタ２１及び下シャッタ２２と、これらの間に介在した合成樹脂製のシャッタウォール２３と、を備えて構成されている。
【００３４】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００３５】
また、上シャッタ２１は、その中央部に、前記したセンタピン５０を挿通させるための挿通孔２１２を有している。
【００３６】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００３７】
さらに、下シャッタ２２の下面には、ロータリシャッタ２０を回動させるためのシャッタノブ２４が取り付けられている（図３（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図６参照）。
【００３８】
さらに、下シャッタ２２は、その周縁に一体に形成されたロック片（ばね部）７０を備えている。なお、このロック片７０は、後記するロック機構ＲＭを構成するものであり、その具体的な構造については、後で詳述することとする。
【００３９】
なお、前記した上シャッタ２１及び下シャッタ２２の内側（記録ディスクメディア３０側）には、記録ディスクメディア３０をクリーニングすると共に、記録ディスクメディア３０を保護するライナ６０，６０が設けられている。そして、このライナ６０，６０は、例えば、不織布等から形成されている。
【００４０】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４１】
＜記録ディスクメディア３０＞
記録ディスクメディア３０は、データを記録する記録媒体であり、本実施形態では、図２に示すように、フレキシブルディスク３１と、このフレキシブルディスク３１を支持するハブ３２と、を備えて構成されている。
【００４２】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図６参照）のスピンドル（図示省略）にチャックされるチャック部３２１を備えている（図１（ｂ）、図５参照）。
【００４３】
＜ハブ孔シャッタ４０＞
ハブ孔シャッタ４０は、下シェル１２とハブ３２との間の隙間Ｓ（図５、図６参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００４４】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００４５】
また、第１シャッタ４１は、その他方側に、ハブ３２と嵌り合うように半円形状に切り欠かれた嵌合部４１２を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００４６】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００４７】
＜ロック機構ＲＭ＞
次に本発明に係るロック機構ＲＭの詳細について説明する。
図４（ａ）に示すように、ロック機構ＲＭは、ロータリシャッタ２０に一体形成されるロック片７０と、アーチ状フレーム１３１に形成される係合溝１３１ｅと、を備えて構成されている。
【００４８】
ロック片７０は、図３（ａ）に示すように、下シャッタ２２の周縁から略接線方向に沿って延出する片持ち梁状の細長の金属片であり、その先端部７１が下シャッタ２２の径方向内側に向かってやや屈曲すると共に、ロータリシャッタ２０の側面（詳しくは、シャッタウォール２３の外周面）から所定距離だけ離れるように形成されている。また、このロック片７０は、金属製の下シャッタ２２の一部を切り曲げることにより形成されており、これにより、その基端部７２が下シャッタ２２と一体に形成されるようになっている。そして、このように構成されるロック片７０は、図４（ａ）に示すように、その先端部７１が常時アーチ状フレーム１３１（カートリッジケース１０の側壁）側に付勢されるようになっており、これにより、図４（ａ）に示すロック状態において、先端部７１が後記する係止部１３１ｈ（図４（ｂ）参照）に確実にセットされるようになっている。また、ロック片７０の先端部７１には、メッキ処理等の摩耗抑制処理が施されており、これにより、ロータリシャッタ２０の回動動作に伴って金属製の先端部７１と樹脂製のアーチ状フレーム１３１とが摺接した場合であっても、樹脂製のアーチ状フレーム１３１の摩耗が抑制されるようになっている。
【００４９】
なお、この先端部７１は、図４（ａ）に示すロック状態において、アーチ状フレーム１３１の係合溝１３１ｅと、この係合溝１３１ｅに被せられる下シェル１２（図２参照）とによってカートリッジケース１０の周縁部の開口として形成されるロック機構用切欠ＲＣから外部に臨むように配置されることで、ドライブ装置Ｄのシャッターロック操作部材ＳＲ（図７参照）と係合するようになっている。また、この先端部７１は、ロック機構用切欠ＲＣを塞ぐような大きさで形成されており、これにより、外部からの塵埃の侵入が抑制されている。
【００５０】
図４（ａ）に示すように、係合溝１３１ｅは、その前壁１３１ｆが、アーチ状フレーム１３１の内壁面１３１ａからロック機構用切欠ＲＣにかけて（詳しくは、ロック状態となるロック片７０の本体部７３に沿って）滑らかに形成されている。また、係合溝１３１ｅの後壁１３１ｇは、図４（ｂ）に示すように、ロック機構用切欠ＲＣの後側に略Ｌ字形状の段差となるように形成される係止部１３１ｈと、この係止部１３１ｈから内側に向かうにつれて徐々に後側に傾くように形成される斜面部１３１ｊとを有した形状となっている。そして、この係止部１３１ｈは、略Ｌ字形状を構成する壁のうち一方の壁（左右方向に沿う壁）でロック片７０の先端部７１の端縁を係止することで、ロータリシャッタ２０の回動を規制するように作用すると共に、他方の壁（前後方向に沿う壁）でロック片７０の付勢力を支持するように作用している。なお、この係止部１３１ｈで係止されたロック片７０の先端部７１は、ドライブ装置Ｄのシャッターロック操作部材ＳＲ（図７参照）によって、ケース外側からロック片７０の付勢力に抗した所定の力が加えられることにより、係止部１３１ｈから離脱するようになっている。
【００５１】
ここで、シャッターロック操作部材ＳＲは、図７（ａ）に示すように、その基端部ＳＲ１がドライブ装置Ｄの側壁に固定されることで片持ち梁状に支持される板ばね部材であり、その先端部ＳＲ２が非変形状態において常時ドライブ装置Ｄの側壁から所定量だけ離れた位置に維持されるように形成されている。また、この先端部ＳＲ２は、ドライブ装置Ｄの内側へ突出するようなＶ字状に屈曲形成されており、その内側に突出する角部がロック片７０の先端部７１に係合することで、この先端部７１が係止部１３１ｈから外れるようになっている。
【００５２】
≪記録ディスクカートリッジの作用効果≫
次に、記録ディスクカートリッジ１の作用効果について説明する。まず、ロータリシャッタ２０及びハブ孔シャッタ４０の動作について図６を主に参照して説明した後、本発明に係るロック機構ＲＭの動作の詳細について説明する。
【００５３】
＜ロータリシャッタ２０の動作＞
ロータリシャッタ２０は、図６右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００５４】
そして、記録ディスクカートリッジ１をドライブ装置ＤのカートリッジスロットＤＳに挿入すると、ドライブ装置Ｄのシャッターロック操作部材ＳＲ（図７参照）によって、ロック機構ＲＭ（図４参照）によるロータリシャッタ２０のロックが解除された後、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図４、矢印Ａ２参照）。
【００５５】
そうすると、シャッタノブ２４が固定されたロータリシャッタ２０は、カートリッジケース１０内でセンタピン５０を軸として回動する（図４、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００５６】
そして、図６左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００５７】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック機構ＲＭ（図４参照）がロータリシャッタ２０をロックする。
【００５８】
＜ハブ孔シャッタ４０の動作＞
次に、このようなロータリシャッタ２０の動作に連動するハブ孔シャッタ４０について説明する。
ハブ孔シャッタ４０は、図６右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００５９】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図４、矢印Ａ４、Ａ４参照）。
【００６０】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図４、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図４、矢印Ａ５参照）。
【００６１】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図６左側参照）。その結果として、ハブ３２及びこれを備える記録ディスクメディア３０は、ハブ３２にチャックするドライブ装置Ｄのスピンドル（図示省略）により、良好に回転することができる。
【００６２】
なお、記録ディスクカートリッジ１がドライブ装置Ｄから取り出されると、閉位置に戻るロータリシャッタ２０に連動して、ハブ孔シャッタ４０は隙間Ｓを閉じる。
【００６３】
［ロック機構ＲＭの動作の詳細］
次に、ロック機構ＲＭの動作の詳細について、図４及び図７を主に参照して説明する。
図４（ａ）に示すように、記録ディスクカートリッジ１の非使用時においては、ロック片７０の先端部７１が係止部１３１ｈに係止されていることによって、ロータリシャッタ２０の開方向への回動が規制されている。そして、図７（ａ）に示すように、ドライブ装置Ｄに記録ディスクカートリッジ１を挿入すると、まず、ドライブ装置Ｄ内のシャッターロック操作部材ＳＲが、記録ディスクカートリッジ１の前端の曲面形状部分で押圧されることで、ドライブ装置Ｄの側壁側に変形する。その後、さらに記録ディスクカートリッジ１を押し込むと、図７（ｂ）に示すように、シャッターロック操作部材ＳＲは、ロック機構用切欠ＲＣの位置で元の形状に復帰することで、ロック片７０の先端部７１を内側に押して、この先端部７１を係止部１３１ｈから外すように作用する。これにより、ロック片７０によるロータリシャッタ２０のロックが解除され、ロータリシャッタ２０が開方向に回動可能となる。そして、このロック解除によってロータリシャッタ２０が回動すると、図７（ｃ）に示すように、ロック片７０は、カートリッジケース１０の側壁（アーチ状フレーム１３１や下シェル１２の折り曲げ部１２２ｃ等）とロータリシャッタ２０との隙間に、入り込んでいくようになっている。
【００６４】
なお、ドライブ装置Ｄから記録ディスクカートリッジ１を取り出す際には、前記したようにロータリシャッタ２０が付勢手段（図示省略）によって閉方向に付勢されることで閉位置に戻っていくこととなるが、このようにロータリシャッタ２０が閉位置に戻っていくと、図７（ｃ）、（ｂ）、（ａ）の順で示すように、伸ばされた状態のロック片７０が係合溝１３１ｅの辺りで元の形状に復帰することで、その先端部７１が係止部１３１ｈに係合して、ロータリシャッタ２０が再びロック片７０でロックされることとなる。
【００６５】
以上、本発明の好適な実施形態について説明したが、本発明は前記実施形態に限定されず、本発明の趣旨を逸脱しない範囲で、例えば次のように変更することもできる。
【００６６】
前記した実施形態では、下シャッタ２２の周縁部を切り曲げ加工することによって下シャッタ２２にロック片７０を一体に形成することとしたが、本発明はこれに限定されるものではない。例えば、溶接により下シャッタ２２とロック片７０を一体に結合する方法や、樹脂製のシャッタウォール２３に金属製のロック片をインサート成形により一体にする方法や、樹脂製のシャッタウォール２３に形成するスリット部に金属製のロック片を嵌め込んで一体とする方法を採用してもよい。
【図面の簡単な説明】
【００６７】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】本実施形態に係るロータリシャッタを示す斜視図であり、（ａ）は前方斜め上方からみた図、（ｂ）は後方斜め下方からみた図である。
【図４】本実施形態に係る記録ディスクカートリッジを下方からみた平面図であり、（ａ）は記録ディスクカートリッジ全体を示す図、（ｂ）は（ａ）のＸ部分の拡大図である。
【図５】本実施形態に係る記録ディスクカートリッジの要部の断面図である。
【図６】本実施形態に係る記録ディスクカートリッジをドライブ装置に挿入した状態を示す斜視図である。
【図７】ロック機構の動作を示す部分拡大断面図であり、（ａ）はロック状態であるロック機構を示す図、（ｂ）はロック片と係止部との係合が解除された状態を示す図、（ｃ）はロータリシャッタの回動に伴って変形するロック片の状態を示す図である。
【図８】従来の記録ディスクカートリッジを示す斜視図であり、（ａ）は前方斜め上方からみた図、（ｂ）は後方斜め下方からみた図である。
【図９】従来のロック機構の構造を示す部分拡大断面図である。
【符号の説明】
【００６８】
１      記録ディスクカートリッジ
１０    カートリッジケース
２０    ロータリシャッタ
２１    上シャッタ
２２    下シャッタ
２３    シャッタウォール
３０    記録ディスクメディア
７０    ロック片（ばね部）
７１    先端部
７２    基端部
７３    本体部
１０１  アクセス用開口部
１３１  アーチ状フレーム
１３１ａ  内壁面
１３１ｂ  外壁面
１３１ｅ  係合溝
１３１ｆ  前壁
１３１ｇ  後壁
１３１ｈ  係止部
１３１ｊ  斜面部
２０１  切欠部
Ｄ      ドライブ装置
ＳＲ    シャッターロック操作部材
ＲＣ    ロック機構用切欠
ＲＭ    ロック機構
【図１】
2007141385.tif 000003
【図２】
2007141385.tif 000004
【図３】
2007141385.tif 000005
【図４】
2007141385.tif 000006
【図５】
2007141385.tif 000007
【図６】
2007141385.tif 000008
【図７】
2007141385.tif 000009
【図８】
2007141385.tif 000010
【図９】
2007141385.tif 000011